【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
第2のオブジェクトによる第1のオブジェクトの遠隔操作のための装置であって、
前記第2のオブジェクトに配置され、レンジング情報を取得するように構成される1つまたは複数のセンサーと、
前記レンジング情報から前記第2のオブジェクトの1つまたは複数の運動を決定し、
前記第1のオブジェクトを操作するための前記1つまたは複数の運動に関連する1つまたは複数の制御信号を生成する、処理システムと
を備える装置。
【請求項２】
追加のレンジング情報を取得するために前記第2のオブジェクト上の前記1つまたは複数のセンサーと通信するように構成される別の1つまたは複数のセンサーを備える面をさらに備え、前記処理システムが、前記レンジング情報および前記追加のレンジング情報から前記1つまたは複数の運動を決定するようにさらに構成される、請求項1に記載の装置。
【請求項３】
前記処理システムによって生成された前記1つまたは複数の制御信号が、前記第2のオブジェクトの前記1つまたは複数の運動を模倣する前記第1のオブジェクトの少なくとも1つの運動をもたらすように構成される、請求項1に記載の装置。
【請求項４】
前記1つまたは複数の運動が1つまたは複数のジェスチャーを備える、請求項1に記載の装置。
【請求項５】
前記1つまたは複数の制御信号を前記第1のオブジェクトに送信するように構成される送信機をさらに備える、請求項1に記載の装置。
【請求項６】
前記第2のオブジェクトが人体の一部を備える、請求項1に記載の装置。
【請求項７】
第2のオブジェクトによる第1のオブジェクトの遠隔操作のための装置であって、
前記第2のオブジェクトに配置され、レンジング情報を取得するように構成される1つまたは複数の感知するための手段と、
前記レンジング情報から前記第2のオブジェクトの1つまたは複数の運動を決定するための手段と、
前記第1のオブジェクトを操作するための前記1つまたは複数の運動に関連する1つまたは複数の制御信号を生成するための手段と
を備える装置。
【請求項８】
追加のレンジング情報を取得するために前記第2のオブジェクト上の前記1つまたは複数のセンサー手段と通信するように構成される別の1つまたは複数のセンサー手段を備える面をさらに備え、前記装置が、前記レンジング情報および前記追加のレンジング情報から前記1つまたは複数の運動を決定するようにさらに構成される、請求項7に記載の装置。
【請求項９】
前記1つまたは複数の制御信号を生成するための前記手段が、前記第2のオブジェクトの前記1つまたは複数の運動を模倣する前記第1のオブジェクトの少なくとも1つの運動をもたらすように構成される、請求項7に記載の装置。
【請求項１０】
前記1つまたは複数の運動が1つまたは複数のジェスチャーを備える、請求項7に記載の装置。
【請求項１１】
前記1つまたは複数の制御信号を前記第1のオブジェクトに送信するように構成される送信機手段をさらに備える、請求項7に記載の装置。
【請求項１２】
前記第2のオブジェクトが人体の一部を備える、請求項7に記載の装置。
【請求項１３】
第2のオブジェクトによる第1のオブジェクトの遠隔操作のための方法であって、
前記第2のオブジェクトに配置されるように構成される1つまたは複数のセンサーを介してレンジング情報を取得するステップと、
前記レンジング情報から前記第2のオブジェクトの1つまたは複数の運動を決定するステップと、
前記第1のオブジェクトを操作するための前記1つまたは複数の運動に関連する1つまたは複数の制御信号を生成するステップと
を備える方法。
【請求項１４】
別の1つまたは複数のセンサーを備える面を介して追加のレンジング情報を取得するために前記第2のオブジェクト上の前記1つまたは複数のセンサーと通信するステップをさらに備え、前記レンジング情報から前記第2のオブジェクトの前記1つまたは複数の運動を決定するステップが、前記レンジング情報および前記追加のレンジング情報から前記1つまたは複数の運動を決定するステップを備える、請求項13に記載の方法。
【請求項１５】
処理システムによって生成される前記1つまたは複数の制御信号を介して、前記第2のオブジェクトの前記1つまたは複数の運動を模倣する前記第1のオブジェクトの少なくとも1つの運動をもたらすステップをさらに備える、請求項13に記載の方法。
【請求項１６】
前記1つまたは複数の運動が1つまたは複数のジェスチャーを備える、請求項13に記載の方法。
【請求項１７】
送信機を介して前記1つまたは複数の制御信号を前記第1のオブジェクトに送信するステップをさらに備える、請求項13に記載の方法。
【請求項１８】
前記第2のオブジェクトが人体の一部を備える、請求項13に記載の方法。
【請求項１９】
第2のオブジェクトによる第1のオブジェクトの遠隔操作のためのコンピュータプログラムであって、
前記第2のオブジェクトに配置されるように構成される1つまたは複数のセンサーを介してレンジング情報を取得するステップと、
前記レンジング情報から前記第2のオブジェクトの1つまたは複数の運動を決定するステップと、
前記第1のオブジェクトを操作するための前記1つまたは複数の運動に関連する1つまたは複数の制御信号を生成するステップと
を行うためにコンピュータにより実行可能な命令を備える、コンピュータプログラム。
【請求項２０】
別の1つまたは複数のセンサーを備える面を介して追加のレンジング情報を取得するために前記第2のオブジェクト上の前記1つまたは複数のセンサーと通信するステップを行うために実行可能な命令をさらに備え、前記レンジング情報から前記第2のオブジェクトの前記1つまたは複数の運動を決定するステップが、前記レンジング情報および前記追加のレンジング情報から前記1つまたは複数の運動を決定するステップを備える、請求項19に記載のコンピュータプログラム。
【請求項２１】
処理システムによって生成される前記1つまたは複数の制御信号を介して、前記第2のオブジェクトの前記1つまたは複数の運動を模倣する前記第1のオブジェクトの少なくとも1つの運動をもたらすステップを行うために実行可能な命令をさらに備える、請求項19に記載のコンピュータプログラム。
【請求項２２】
前記1つまたは複数の運動が1つまたは複数のジェスチャーを備える、請求項19に記載のコンピュータプログラム。
【請求項２３】
送信機を介して前記1つまたは複数の制御信号を前記第1のオブジェクトに送信するステップを行うために実行可能な命令をさらに備える、請求項19に記載のコンピュータプログラム。
【請求項２４】
前記第2のオブジェクトが人体の一部を備える、請求項19に記載のコンピュータプログラム。
【請求項２５】
第2のオブジェクトによる第1のオブジェクトの遠隔操作のための遠隔制御システムであって、
前記第2のオブジェクトに配置され、レンジング情報を取得するように構成される1つまたは複数のセンサーと、
少なくとも1つのアンテナと、
前記レンジング情報から前記第2のオブジェクトの1つまたは複数の運動を決定するステップと、前記少なくとも1つのアンテナを介して、前記1つまたは複数の制御信号を前記第1のオブジェクトに送信するステップとを行う、ように構成される処理システムと
を備える遠隔制御システム。